(57)【特許請求の範囲】
【請求項１】
光ピックアップを摺動可能に支持する一対のガイドシャフトと、
トラバースシャーシに備えられ、前記ガイドシャフトの両端を支持するシャフト支持部と、
前記シャフト支持部に取り付けられ、前記ガイドシャフトを前記トラバースシャーシに向けて押圧するねじりばねと、を有する光ディスク装置であって、
前記ねじりばねは、
らせん状に巻回された巻回部と、
前記巻回部一方端部より法線方向に突出した押圧脚部と、
前記巻回部の他方の端部より法線方向に突出した支持脚部とを有しており、
前記シャフト支持部は、
前記ガイドシャフトと直交し該ガイドシャフトを支持する軸支持部と、
前記ガイドシャフトの軸方向と平行に延伸する棒状に形成されたばね保持部と、
前記ガイドシャフトを挟んで前記トラバースシャーシの反対側に形成され、前記ばね保持部の棒状の部分と少なくとも一部が前記ガイドシャフトの軸方向に重なるとともに前記ばね保持部の延伸方向と反対方向に突出する部分を備えた係合部と、
前記ガイドシャフトと前記トラバースシャーシの距離を調整する調整ねじとを有しており、
前記ねじりばねは圧縮された状態で、前記巻回部が前記ばね保持部に嵌合され、前記押圧脚部がガイドシャフトの先端から軸支持部までの間の調整ねじと反対側から接触するとともに、前記支持脚部が前記係合部に係合されていることを特徴とする光ディスク装置。
【請求項２】
前記係合部が前記軸支持部と一体に形成されている請求項１に記載の光ディスク装置。
【請求項３】
前記ばね保持部の先端は前記トラバースシャーシと直交し前記トラバースシャーシに対し離間する方向に突出した凸部を備えている請求項１又は請求項２に記載の光ディスク装置。
【請求項４】
前記係合部の先端は、前記トラバースシャーシに向かって突出する係合凸部を備えている請求項１から請求項３のいずれかに記載の光ディスク装置。
【請求項５】
前記ねじりばねは、
前記支持脚部が前記係合凸部と接触するとともに、前記押圧脚部が前記ガイドシャフトの前記調整ねじに支持される部分と前記ガイドシャフトの軸方向に重なる位置を押圧するように形成されている請求項４に記載の光ディスク装置。
【請求項６】
前記シャフト支持部の前記軸支持部、前記ばね保持部及び前記係合部が前記トラバースシャーシと一体で形成される構造である請求項１から請求項５のいずれかに記載の光ディスク装置。
【請求項７】
前記ばね保持部が前記一対のガイドシャフトに挟まれる領域の外に形成されている請求項１から請求項６のいずれかに記載の光ディスク装置。
【発明の詳細な説明】
【技術分野】
【０００１】
本発明は、光ピックアップが係合され、前記光ピックアップの摺動をガイドするガイドシャフトを押える押え機構を備えた光ディスク装置に関するものである。
【背景技術】
【０００２】
従来の光ディスク装置について図面を参照して説明する。図１１は従来の光ディスク装置の概略図である。光ディスク装置は、トラバースシャーシ９１と、トラバースシャーシ９１に固定されたモータの出力軸に取り付けられており光ディスクを回転させるターンテーブル９２と、トラバースシャーシ９１に摺動可能に支持され、光ディスクに光を照射し、情報の読み取り（以下、読み取り等と記載する場合がある）を行う光ピックアップ９３とを備えている。
【０００３】
光ピックアップ９３は回転している光ディスクの記録面に対物レンズで集光した光（スポット光）を照射しつつ、光ディスクの径方向（ラジアル方向）に移動することで、光ディスクのトラックに沿って光を移動させ、読み取り等を行っている。光ディスク装置Ｂでは、トラバースシャーシ９１に一対のガイドシャフト９４が備えられており、ガイドシャフト９４が光ピックアップ９３の摺動を案内している。
【０００４】
光ディスクのトラックは細く、ガイドシャフト９４が浮いたり、傾いたりすると、光ピックアップが光ディスクに対して傾き、誤ったトラックに光が照射されたり、収差が発生したりして読み取り等が正確に行われなくなる場合がある。
【０００５】
従来、光ディスク装置Ｂでは、ガイドシャフト９４が浮いたり、傾いたりするのを抑制するため、ねじりばね９５を用いて、ガイドシャフト９４の両端部をトラバースシャーシ９１に向けて付勢するとともに、トラバースシャーシ９１に備えられたねじ９６でガイドシャフト９４を支持する構造が採用されている。
【０００６】
ガイドシャフトの支持構造について図面を参照して説明する。図１２は図１１に示す従来の光ディスク装置のシャフト支持部をガイドシャフトの軸方向から見た拡大図である。図１２に示すように、ねじりばね９５は金属線（多くの場合鋼線）を巻きまわした巻回部９５１と、巻回部９５１の一方の端部を延伸させた直線状の脚部９５２と、巻回部９５１の他方の端部を延伸させた直線状の腕部９５３とを備えている。
【０００７】
図１２に示すように、巻回部９５１をガイドシャフト９４に外嵌させ、脚部９５２及び腕部９５３をトラバースシャーシ９１の一部に係合している。ねじりばね９５は圧縮された（脚部９５２と腕部９５３とを接近させた）状態でガイドシャフト９４に取り付けられており、脚部９５２及び腕部９５３はねじりばね９５の復元力（弾性力）でトラバースシャーシ１との係合部を押圧する。
【０００８】
このとき、脚部９５２及び腕部９５３はトラバースシャーシ１との係合部より反力を受ける。これにより、ねじりばね９５は巻回部９５１がガイドシャフト９４をトラバースシャーシ１に向けて付勢する。一方、ねじ９６の先端がガイドシャフト９４を支持しており、ねじ９６の先端のトラバースシャーシ９１からの長さを調整することで、ガイドシャフト９４とトラバースシャーシ１の距離を調整している。
【０００９】
以上示したように、従来の光ディスク装置では、ねじりばね９５で付勢することでガイドシャフト９４が浮き上がるのを抑制するとともに、ねじ９６のトラバースシャーシ９１からの突出量を調整することでガイドシャフト９４、ひいては、光ピックアップ９３の傾きを調整している。
【００１０】
ねじりばねを用いてガイドシャフトを押える構成を有する光ディスク装置として、例えば、特開２００６−１２７６７５公報、特開２００５−６３６３１号公報に記載されている。これらの発明に記載のねじりばねは、巻回部をシャーシに形成されたバネ保持部で保持し、ねじりばねの一方の端部である固定部をシャーシに係合し、他方の端部でガイドシャフトを押える構成となっている。
【先行技術文献】
【特許文献】
【００１１】
【特許文献１】特開２００６−１２７６７５号公報
【特許文献２】特開２００５−６３６３１号公報
【発明の概要】
【発明が解決しようとする課題】
【００１２】
従来の光ディスク装置において、ねじりばね９５は巻回部９５１をガイドシャフト９４に外嵌させ、脚部９５２及び腕部９５３をトラバースシャーシ９５１の一部に係合させる構造となっている。このような構造のねじりばね９５において、巻回部９５１でガイドシャフト９４をトラバースシャーシ９１側に押圧するためには、脚部９５２及び腕部９５３はトラバースシャーシ９１のガイドシャフト９４と反対側から係合する必要がある。この構成の場合、ガイドシャフト９１をシャフト支持部に取り付けるときに同時にねじりばね９５を取り付けなくてはならず、ねじりばね９５の組みつけ作業が複雑になる。
【００１３】
近年、大容量のブルーレイディスクに書き込み可能な光ディスク装置が増えてきており、情報の読み出し及び書き込みを行うため、光ピックアップ９３とやり取りする情報量が増えている。これにより、光ピックアップ９３に取り付けられたフレキシブルフラットケーブル（ＦＦＣ）９３５に幅の広いものが採用されるようになっている。
【００１４】
ＦＦＣ９３５は光ピックアップ９３の移動に追従するために、一対のガイドシャフト９４、９４の間に配置されているものであるが、ねじりばね９５の脚部９５２及び（又は）腕部９５３はガイドシャフト９４と直交する方向に延びており、ＦＦＣ９３５の幅が広くなると、脚部９５２又は腕部９５３と干渉しやすくなる。これにより、光ピックアップ９３の移動が制限されたり、ＦＦＣ９３５が破損されたりする不具合が発生する場合がある。
【００１５】
また、図１１に示す光ディスク装置、特許文献１及び２に示す光ディスク装置では、ばねがガイドシャフトをトラバースシャーシに向けて押圧する押圧点と、ガイドシャフトの高さを調整するねじの先端が接触し支持する支持点とがガイドシャフトの軸方向にずれ形成されている。押圧点と支持点とが軸方向にずれることでガイドシャフトに曲げモーメントが発生する。この曲げモーメントによりガイドシャフトが中央付近で曲がってしまい、光ピックアップの動作の精度が低下する懸念もある。
【００１６】
そこで本発明は、小型で、容易に組み立てることができ、情報の読み取り及び（又は）書き込みを高精度で行うことが可能な光ディスク装置を提供することを目的とする。
【課題を解決するための手段】
【００１７】
上記目的を達成するために本発明は、光ピックアップを摺動可能に支持する一対のガイドシャフトと、トラバースシャーシに備えられ、前記ガイドシャフトの両端を支持するシャフト支持部と、前記シャフト支持部に取り付けられ、前記ガイドシャフトを前記トラバースシャーシに向けて押圧するねじりばねとを有する光ディスク装置であって、前記ねじりばねは、らせん状に巻回された巻回部と、前記巻回部一方端部より法線方向に突出した押圧脚部と、前記巻回部の他方の端部より法線方向に突出した支持脚部とを有しており、前記シャフト支持部は、前記ガイドシャフトと直交し該ガイドシャフトを支持する軸支持部と、前記ガイドシャフトの軸方向と平行に形成されたばね保持部と、前記ガイドシャフトを挟んで前記トラバースシャーシの反対側に形成された係合部と、前記ガイドシャフトと前記トラバースシャーシの距離を調整する調整ねじとを有しており、前記ねじりばねは圧縮された状態で、前記巻回部が前記ばね保持部に嵌合され、前記押圧脚部がガイドシャフトの先端から軸支持部までの間の調整ねじと反対側から接触するとともに、前記支持脚部が前記係合部に係合されていることを特徴とする。
【００１８】
この構成によると、ねじりばねの支持脚部が係合される係合部をガイドシャフトを挟んでトラバースシャーシの反対側に備えているので、シャフト支持部の前記ガイドシャフトと直交する方向の幅を小さくすることが可能である。
【００１９】
前記一対のガイドシャフトの端部を保持するシャフト支持部の間のスペースを大きくすることができる。これにより、光ディスクに情報を書き込むための光ピックアップを用いるため、フレキシブルフラットケーブルの幅が大きくなっても、前記シャフト支持部と干渉しにくい。
【００２０】
また、前記トラバースシャーシの前記ガイドシャフトが取り付けられている側にねじりばね全体が配置されており、前記ねじりばねの巻回部を前記ガイドシャフトに嵌合させなくてもよいので、前記ねじりばねの取り付けが容易である。
【００２１】
これにより、前記ねじりばねの取り付けの手間と時間を省くことができる。また、容易に取り付けることができるので、取り付けのばらつきが生じにくく、前記ガイドシャフトへの押圧が不完全になったり、取れやすかったりする不具合を抑制することができる。
【００２２】
上記構成において、前記ガイドシャフトの前記押圧脚部から押圧される押圧部の先端からの距離が、前記ガイドシャフトの前記調整ねじで支持される支持部の先端からの距離と同じであってもよい。
【００２３】
この構成によると、前記ねじりばねによる押圧点と前記調整ねじによる支持点を前記ガイドシャフトの軸方向にいっちさせているので、前記押圧点と前記支持点とがずれることで前記ガイドシャフトにせん断力及び（又は）曲げモーメントが作用し、前記ガイドシャフトが曲がってしまうのを抑制することができる。
【００２４】
これにより、光ピックアップの動作が不安定になったり、前記ガイドシャフトが曲がることで傾いてしまったりする不具合を抑制することができる。
【００２５】
上記構成において、前記ばね保持部と前記係合部とは互いに反対方向に向かって形成されていてもよい。
【００２６】
上記構成において、前記係合部が前記軸支持部と一体に形成されていてもよい。
【００２７】
上記構成において、前記ばね保持部の先端は前記トラバースシャーシと直交する方向に突出した凸部を備えていてもよい。
【００２８】
上記構成において、前記係合部の先端は、前記係合脚部が係合している側に突出する係合凸部を備えていてもよい。
【００２９】
上記構成において、前記シャフト支持部は前記トラバースシャーシと一体で形成される構造であってもよい。
【００３０】
上記構成において、前記ばね保持部が前記一対のガイドシャフトに挟まれる領域の外に形成されていてもよい。
【発明の効果】
【００３１】
本発明によると、小型で、容易に組み立てることができ、情報の読み取り及び（又は）書き込みを高精度で行うことが可能な光ディスク装置を提供することが可能である。
【図面の簡単な説明】
【００３２】
【図１】本発明にかかる光ディスク装置の一例の概略図である。
【図２】図１に示す光ディスク装置のシャフト支持部を拡大した平面図である。
【図３】図１に示す光ディスク装置のシャフト支持部を拡大した側面図である。
【図４】図１に示す光ディスク装置のシャフト支持部をガイドシャフトの軸方向から見た拡大図である。
【図５】ねじりばねを取り付け途中の状態の平面図である。
【図６】ねじりばねを取り付け途中の状態の側面図である。
【図７】ねじりばねを取り付け途中の状態の軸方向から見た図である。
【図８】ねじりばねを取り付け途中の状態の平面図である。
【図９】ねじりばねを取り付け途中の状態の平面図である。
【図１０】ねじりばねを取り付け途中の状態の平面図である。
【図１１】従来の光ディスク装置の概略図である。
【図１２】図１１に示す従来の光ディスク装置のシャフト支持部をガイドシャフトの軸方向から見た拡大図である。
【発明を実施するための形態】
【００３３】
以下に本発明の実施形態を図面を参照して説明する。図１は本発明にかかる光ディスク装置の一例の概略図である。図１に示すように、光ディスク装置Ａは、トラバースシャーシ１と、トラバースシャーシ１に取り付けられ、光ディスクを回転させるターンテーブル２と、ターンテーブル２によって回転された光ディスクにレーザ光を照射する光ピックアップ３とを備えている。
【００３４】
トラバースシャーシ１は金属板を平面視長方形状に切り曲げて形成されている。トラバースシャーシ１はダンパ部材１１を介してメインシャーシ（不図示）に四隅を保持されている。ダンパ部材１１はメインシャーシからトラバースシャーシ１或いはその逆への振動、衝撃の伝達を緩和する部材であり、弾性変形可能な材料で形成されている。トラバースシャーシ１は中央に長方形状の開口１０を有している。なお、トラバースシャーシ１は金属板を切り曲げて形成されているものを例示しているが、それに限定されるものではなく、樹脂の成形体であってもよい。
【００３５】
トラバースシャーシ１は、開口１０の一方の短辺の中央部の近くに、モータ（不図示）が取り付け固定されている。モータの出力軸はトラバースシャーシ１の上面に対して直交する方向に延伸しており、出力軸の先端部にターンテーブル２が固定されている。ターンテーブル２は、回転中心となる中心軸が出力軸と重なるように、出力軸に固定されている。これにより、モータが回転するとターンテーブル２も回転する。ターンテーブル２は光ディスクを載置するための載置部２１と、光ディスクの中央に形成された開口を貫通する凸部２２とを備えている。ターンテーブル２は不図示のクランパーとで光ディスクを挟持するように構成されている。
【００３６】
トラバースシャーシ１には、光ピックアップ３をガイドするメインシャフト４１と、サブシャフト４２の２本のガイドシャフト４が平行に配置されている。メインシャフト４１及びサブシャフト４２はその両端部をトラバースシャーシ１に備えられたシャフト支持部６に支持されている。シャフト支持部６にはねじりばね７が取り付けられている。なお、ガイドシャフト４（４１、４２）は開口１０を長手方向に横切るように配置されている。ガイドシャフト４の支持については後述する。
【００３７】
図１に示すように、光ピックアップ３はピックアップベース３１と、光ディスクの情報記録面に対向して配置された対物レンズ３２を含むレーザ光学系と、対物レンズ３２を保持し、トラック方向及びフォーカス方向に移動する対物レンズホルダ３３と、光ピックアップ３の制御及び読み取り又は書き込みの情報をやり取りするための基板３４と、基板３４に接続され光ディスク装置のメイン基板（不図示）と情報のやり取りを行うためのＦＦＣ３５とを備えている。
【００３８】
ピックアップベース３１は、一方のガイドシャフト４（メインシャフト４１）に外嵌する軸受け部３１１と、他方のガイドシャフト４（サブシャフト４２）に係合する係合部３１２とを有している。軸受け部３１１はメインシャフト４１にガタが少ない状態ではめ込まれており、係合部３１２は一部が開いており他方のガイドシャフト４２にガタが多い状態で係合されている。
【００３９】
また、ピックアップベース３１は軸受け部３１１の近傍にピックアップ３の摺動方向と直交する方向に突出したラック片３１３を備えている。ラック片３１３にはラック爪が形成されており、ガイドシャフト４と平行且つ回転可能にトラバースシャーシ１に支持されたリードスクリュー５１の外面に形成された螺旋溝に噛合している。リードスクリュー５１はトラバースシャーシ１に固定された駆動モータ５２に連結されており、駆動モータ５２が駆動されることで回転する。リードスクリュー５１が回転することで、ラック片３１３はリードスクリュー５１の螺旋溝に送られ軸方向に移動する。これにより、ラック片３１３が取り付けられている光ピックアップ３がガイドシャフト４に沿って摺動される。
【００４０】
図１に示すように、光ピックアップ３は２本のガイドシャフト４（４１、４２）にガイドされてターンテーブル２に対して摺動し、接近或いは離間する。この光ピックアップ３の摺動方向は光ディスクの径方向（ラジアル方向）である。
【００４１】
シャフト支持部６によるガイドシャフト４の支持について図面を参照して説明する。図２は図１に示す光ディスク装置のシャフト支持部を拡大した平面図であり、図３は図１に示す光ディスク装置のシャフト支持部を拡大した側面図であり、図４は図１に示す光ディスク装置のシャフト支持部をガイドシャフトの軸方向から見た拡大図である。なお、図２、３、４には、便宜上、メインシャフト４１の一方の端部を支持するシャフト支持部６のみを示しているが、それ以外の支持部も同様の構成を有している。
【００４２】
まず、ねじりばね７について説明する。図２〜４に示すように、ねじりばね７は金属線（例えば鋼線）をコイル状に巻回して形成された巻回部７１と、巻回部７１の端部を巻回部７１の接線方向に延伸させて形成した支持腕部７２及び押圧腕部７３を備えている。ねじりばね７は支持腕部７２と押圧腕部７３の角度が変化するように変形すると、元に戻るように弾性力を発揮するばねである。なお、本実施形態では、支持腕部７２と押圧腕部７３とが近づくように変形された状態でシャフト支持部６に取り付けられている。
【００４３】
また、シャフト支持部６はトラバースシャーシ１の一部を切り曲げることで形成されている。シャフト支持部６は、ガイドシャフト４（４１）が貫通する貫通孔６００を備えた軸支持部６０と、ガイドシャフト４の先端部が接触しガイドシャフト４（４１）が軸方向に移動するのを規制する移動規制部６１と、ねじりばね７の巻回部７１を保持するばね保持部６２と、ねじりばね７の一部である支持腕部７２が係合する係合部６３と、ガイドシャフト４（４１）のトラバースシャーシ１に対する距離及び傾きを調整するための調整ねじ６４とを備えている。
【００４４】
軸支持部６０はガイドシャフト４（４１）の軸方向と直交する平板状の部材であり、トラバースシャーシ１の上面より起立して形成されている。貫通孔６００は軸支持部６０の中央に形成されており、トラバースシャーシ１の上面に対して直交する方向を長手方向とする長方形状の貫通孔である。移動規制部６１はガイドシャフト４（４１）の軸方向と直交する平板状の部材であり、トラバースシャーシ１の上面より起立している。移動規制部６１は軸支持部６０と平行となるように形成されている。
【００４５】
ばね保持部６２は、ガイドシャフト４（４１）の軸方向、端部から中央部に向かって延伸した棒状の部材である。ばね保持部６２の先端は、トラバースシャーシ１と反対側に突出した凸部６２１を備えている。ばね保持部６２には、ねじりばね７の巻回部７１が外嵌しており、凸部６２１が形成されていることで、巻回部７１がばね保持部６２の先端側に移動したときに凸部６２１と接触し、ねじりばね７のばね保持部６２から脱落するのを抑えている。なお、凸部６２１を含めばね保持部６２は巻回部７１が外嵌可能な大きさである。脱落防止の効果を有するために、凸部６２１はトラバースシャーシ１と反対側に突出していることが好ましい。
【００４６】
係合部６３は軸支持部６０よりばね保持部６２と反対側に突出するように形成されている。係合部６３はガイドシャフト４（４１）よりもトラバースシャーシ１から遠くに形成されている。係合部６３の先端はガイドシャフト４（４１）側に向かって突出した係合凸部６３１を備えており、係合部６３にガイドシャフト４（４１）側から力を付勢しつつ係合する支持腕部７２の脱落を抑えている。なお、ばね保持部６２と係合部６３とは平行に配列されている。
【００４７】
調整ねじ６４はシャフト支持部６の底面に形成されているねじ孔６４０に螺合されている。ねじ孔６４０は平面視においてガイドシャフト４（４１）と重なる位置に形成されており、調整ねじ６４をねじ込むことで、調整ねじ６４の先端が移動しガイドシャフト４を押す。この調整ねじ６４の先端により押され、ガイドシャフト４（４１）とトラバースシャーシ１との距離が調整される。
【００４８】
図２〜４に示すように、巻回部７１がばね保持部６２に外嵌し、支持腕部７２が係合部６３と係合し、押圧腕部７３がガイドシャフト４（４１）と接触している。ねじりばね７はシャフト支持部６に取り付けられるとき、支持腕部７２と押圧腕部７３とが近づくように変形されて取り付けられており、支持腕部７２及び押圧腕部７３は広がる方向（元に戻る方向）に弾性力を発揮する。このとき、支持腕部７２が係合部６３に係合されているので、ねじりばね７の弾性力によって、押圧腕部７３がガイドシャフト４を下方（トラバースシャーシ１の上面に向かう方向）に押す。
【００４９】
図２、図３に示すように、ガイドシャフト４（４１）の押圧腕部７３による押圧部は、調整ねじ６４とガイドシャフト４（４１）の軸方向に重なる。これにより、ガイドシャフト４（４１）の押圧腕部７３からの力が作用する作用点と、調整ねじ６４による支持点とがガイドシャフト４（４１）の軸方向に重なるので、ガイドシャフト４（４１）に曲げモーメントの発生を抑制することができ、ガイドシャフト４（４１）の湾曲を抑制することが可能である。
【００５０】
また、図２、図４に示すように、ねじりばね７を用いる光ディスク装置Ａでは、ねじりばね７は従来の光ディスク装置のようにガイドシャフト４を横切るように取り付けられることはない。これにより、ねじりばね７を取り付けても、２本のガイドシャフト４（４１、４２）の間にＦＦＣ３５の移動を妨げる部材が存在しないので、ＦＦＣ３５の幅が広くなってもＦＦＣ３５の取り回しを変更することなく光ピックアップ３をトラバースシャーシ１に取り付けることが可能である。
【００５１】
次に、ねじりばね７をシャフト支持部６に取り付ける手順の一例について、図面を参照して説明する。図５〜図８にねじりばねを取り付け途中の各段階での図を示す。図５は凸部にねじりばねの巻回部を嵌合させた平面図であり、図６はねじりばねの押圧腕部をガイドシャフトに接触させ、巻回部をばね保持部に嵌合させた側面図であり、図７は支持腕部をガイドシャフトに向けて付勢し変形させた状態のガイドシャフトの軸方向から見た図であり、図８は支持腕部を押えた状態の側面図である。なお、ここで示しているシャフト支持部は、便宜上、メインシャフト４１の一方の端部を支持するシャフト支持部６のみであるが、それ以外の支持部でも同様方法でねじりばねを取り付けることが可能である。
【００５２】
図５に示すように、押圧脚部７３をガイドシャフト４（４１）の軸支持部６０より突出した部分と係合部６３の間に配置させ、巻回部７１を凸部６２１にとりつける。このとき、支持脚部７２はばね保持部６２のガイドシャフトと反対側に配置されており、ねじりばね７にはねじり方向に力が作用しておらず、押圧脚部７３と支持脚部７２とがなす角度は大きい。
【００５３】
図６に示すように、巻回部７１を凸部６２１からばね保持部６２の奥側（図中矢印の方向）に移動させる。押圧脚部７３はガイドシャフト４（４１）の軸支持部６０より突出した部分に接触するように配置されている。このとき、支持脚部７２は図５に示す状態と同様に、押圧脚部７３と大きな角度となっており、そのままでは、係合部６３の下部に係合させることができない。
【００５４】
そこで、図７に示すように、押圧脚部７３をガイドシャフト４（４１）に接触させた状態で、支持脚部７２を押圧脚部７３に接近する方向（図中矢印の方向）に移動させる。これにより、支持脚部７２は係合部６３の先端からガイドシャフト４に回り込むことが可能になる。また、このときねじりばね７（特に巻回部７１）はねじり方向に力が付勢されて弾性変形している。
【００５５】
その後、図８に示すように、ねじりばね７が弾性変形した状態を保ちつつ、押圧脚部７３をガイドシャフト４（４１）に接触させた状態で、ねじりばね７を軸支持部６０に向けて摺動させ、支持脚部７２を係合部６３にガイドシャフト４（４１）側から接触させる。これにより、支持脚部７２が係合部６３に係合する。このとき、押圧脚部７３は調整ねじ６４とガイドシャフト４（４１）の軸方向に重なる位置でガイドシャフト４と接触する。
【００５６】
以上のようにして、巻回部７１を弾性変形させた状態でねじりばね７がシャフト支持部６に取り付けられる。支持脚部７２が係合部６３と、押圧脚部７３がガイドシャフト４（４１）とそれぞれ接触している。巻回部７１の変形による弾性力は支持脚部７２と押圧脚部７３とが離れる方向に作用しており、支持脚部７２が係合部６３を、押圧脚部７３がガイドシャフト４（４１）を押す。なお、支持脚部７２は係合部６３をガイドシャフト４（４１）から遠ざかる方向に付勢しており、係合部６３の先端側に移動しても、係合部６３の先端よりガイドシャフト４（４１）に向かって立設された係合凸部６３１に邪魔されて係合部６３から外れない。
【００５７】
押圧脚部７３はガイドシャフト４（４１）を斜めに押しているが、ガイドシャフト４（４１）が貫通している軸支持部の貫通孔６００はトラバースシャーシ１の上面に対して直交する方向を長手方向としており、ガイドシャフト４（４１）は貫通孔６００に案内されるので、押圧脚部７３の力は、トラバースシャーシ１の上面に向かって垂直な方向に作用する。そして、図２等に示すように、押圧脚部７３は調整ねじ６４とガイドシャフト４（４１）の軸方向に重なる位置に配置されているので、ガイドシャフト４に対して押圧脚部７３から作用される押圧力と調整ねじ６４の支持による支持反力とはガイドシャフト４（４１）の軸方向に重なるので、ガイドシャフト４（４１）に曲げモーメントが作用するのを抑制することが可能である。
【００５８】
本発明の光ディスク装置では、ガイドシャフト４を支持し、押圧するシャフト支持部６はガイドシャフト４の軸と直交する方向にばね保持部６２の分だけ張り出すだけであり、シャフト支持部６を小型化することが可能である。これにより、トラバースシャーシ１の大きさを替えることなく、２本のガイドシャフト４間の幅を広くすることが可能である。これにより、光ピックアップ３に搭載された基板３４と外部の基板とを接続するＦＦＣ３５の幅が広くなってもＦＦＣ３５を２本のガイドシャフト４の間に配置することができ、光ピックアップ３を安定して駆動させることが可能である。
【００５９】
なお、ねじりばね７を、巻回部７１を中心とする対称形とし、支持脚部７２及び押圧脚部７３を同じ形状となるように成形することで、向きに関係なくねじりばね７をシャフト支持部６に取り付けることが可能である。これにより、ねじりばね７の組みつけが容易になり、製造の手間と時間を削減することが可能である。
【００６０】
次に、ねじりばね７をシャフト支持部６に取り付ける手順の他の例について、図面を参照して説明する。図９、図１０はねじりばねをシャフトに取り付ける手順の途中の平面図である。
【００６１】
図９に示すように、ねじりばね７の巻回部７１をばね保持部６２の凸部６２１に係合させ、支持脚部７２及び押圧脚部７３を接近させてねじりばね７を圧縮する。支持脚部７２及び押圧脚部７３をガイドシャフト４（４１）と反対側に配置した状態で巻回部７１を凸部６２１からばね保持部６２に移動させる。このとき、ねじりばね７は圧縮された状態で移動される。
【００６２】
その後、図１０に示すように、巻回部７１を中心に支持脚部７２及び押圧脚部７３をガイドシャフト４（４１）側に回転させる。支持脚部７２及び押圧脚部７３を回転させた状態で、支持脚部７２及び押圧脚部７３をガイドシャフト４（４１）と係合部６３の係合凸部６３１の間隙を通過させ、通過した後に、支持脚部７２及び押圧脚部７３を開放し、支持脚部７２を係合部６３に係合させ、押圧脚部７３をガイドシャフト４（４１）に接触させて取付が完了する。
【００６３】
このように取り付けることで、ねじりばね７を常に圧縮する必要があるが、取り付けの手順が非常に簡単になり、取り付け工程のばらつきの発生を抑えることが可能である。
【００６４】
上述した方法は、ねじりばねの取り付け手順の例であり、この方法以外の手順で取り付けられてもよい。
【００６５】
また、ねじりばねの巻回部を保持するねじ保持部の先端部は、トラバースシャーシと反対側に突出しているが、ねじりばねを取り付けるときに、容易に巻回部を係合させることができるとともに、巻回部の脱落を抑制することができる方向であれば、突出方向は特に限定されない。
【００６６】
上述したように、本発明の光ディスク装置では、ガイドシャフト４（４１、４２）をシャフト支持部６に取り付け、トラバースシャーシ１に配置した後に、ねじりばね７を取り付けることが可能である。これにより、ねじりばねの取り付けを容易に行うことができるとともに、組立時の工程を分けることも可能であり、組立のミスを減らすことが可能である。また、組立が容易であるので、ねじりばねの取り付けのばらつきを抑えることができる。
【００６７】
上記実施形態において、ねじりばね７は支持脚部７２及び押圧脚部７３が同一の長さを有し、先端より同じ長さの部分で屈曲した形状を有しており、巻回部７１を中心として対称形を成しているものである。このねじりばね７の場合、巻回部７１を中心に反転させても、同様の形状となるので、取り付け時に支持脚部７２及び押圧脚部７３を確認することなく、常に、同じ状態になるようにシャフト支持部６に取り付けることが可能である。
【００６８】
なお、巻回部７１の巻回数は任意であるが、支持脚部７２及び押圧脚部７３がガイドシャフト４（４１）を押圧する適度な弾性力を発生するように形成されていればよい。支持脚部７２が係合部６３に係合し係合凸部６３１と接触したとき、押圧脚部７３がガイドシャフト４（４１）と接触する位置が、調整ねじ６４と軸方向に重なるように巻回数を設定するものを例示することができる。これによると、ガイドシャフト４（４１）の押圧脚部７３の押圧部と調整ねじ６４による支持部との軸方向位置を容易に合わせることができる。
【産業上の利用可能性】
【００６９】
本発明は、２本のガイドシャフトを利用して光ピックアップの摺動をガイドする光ディスク装置に利用することができる。
【符号の説明】
【００７０】
Ａ  光ディスク装置
１  トラバースシャーシ
１０  開口
１１  ダンパ部材
２  ターンテーブル
２１  載置部
２２  凸部
３  光ピックアップ
３１  ピックアップベース
３１１  軸受け部
３１２  係合部
３１３  ラック片
３２  対物レンズ
３３  対物レンズホルダ
３４  基板
３５  ＦＦＣ
４  ガイドシャフト
４１  メインシャフト
４２  サブシャフト
５１  リードスクリュー
５２  駆動モータ
６  シャフト支持部
６０  軸支持部
６１  移動規制部
６２  ばね保持部
６２１  凸部
６３  係合部
６４  調整ねじ
７  ねじりばね
７１  巻回部
７２  支持腕部
７３  押圧腕部
【図１】
0005573148.tif 000002
【図２】
0005573148.tif 000003
【図３】
0005573148.tif 000004
【図４】
0005573148.tif 000005
【図５】
0005573148.tif 000006
【図６】
0005573148.tif 000007
【図７】
0005573148.tif 000008
【図８】
0005573148.tif 000009
【図９】
0005573148.tif 000010
【図１０】
0005573148.tif 000011
【図１１】
0005573148.tif 000012
【図１２】
0005573148.tif 000013